【事件の表示】
　特願２０１７−５２３９４２「不安定なネットワーク接続を有するデバイスのための、多層的な、クラウドベースのファイルシステム」拒絶査定不服審判事件〔平成２９年１２月１４日国際公開、ＷＯ２０１７／２１１４２１、平成３０年　８月３０日国内公表、特表２０１８−５２４６４４〕について、次のとおり審決する。
【結　論】
　本件審判の請求は、成り立たない。
【理　由】
第１　手続の経緯
　本願は，２０１６年６月９日を国際出願日とする出願であって，平成３０年７月２６日付けで拒絶理由通知がなされ，平成３０年１０月１２日付けで意見書が提出されるとともに手続補正がなされたが，平成３１年３月１４日付けで拒絶査定がなされた。これに対し，令和１年７月２５日に拒絶査定不服審判の請求がなされると同時に手続補正がなされたものである。
第２　令和１年７月２５日にされた手続補正についての補正の却下の決定 
［補正の却下の決定の結論］ 
　令和１年７月２５日にされた手続補正（以下「本件補正」という。）を却下する。 
［理由］ 
１　本件補正について（補正の内容） 
（１）本件補正後の特許請求の範囲の記載
　本件補正により，特許請求の範囲の請求項１の記載は，次のとおり補正された。（下線部は，補正箇所である。）
「【請求項１】
　ファイルへのアクセスを管理するデバイスであって、
　ネットワークインタフェースと、
　ネットワークアクセス可能ストレージ内に記憶されたメディアファイルの少なくとも1つの縮小サイズバージョンを記憶するように適合されたローカルメモリと、
　少なくとも1つのプロセッサとを含み、前記少なくとも1つのプロセッサは、
　　前記少なくとも1つのプロセッサによって実行されるオペレーティングシステムのファイルシステムを介して、前記メディアファイルにアクセスするための要求を受信し、
　　前記要求の分析に基づいて、
　　　(1) 
前記メディアファイルのフルバージョンが要求されるケースでは、前記ネットワークアクセス可能ストレージへのアクセスをチェックし、
　　　　
前記アクセスがある場合は
　　　　
前記アクセスがない場合は関連するエンティティに接続失敗を通知して、対応する前記縮小サイズバージョンによって前記要求に応答し、前記関連するエンティティに前記縮小サイズバージョンは前記メディアファイルのフルバージョンの代わりに提供されることを通知するか、
　　　(2) 
前記メディアファイルのフルバージョンが要求されないケースでは、
を決定し、
　　前記決定に従って、前記要求に応答し、
　　アクセスパラメータに基づいて前記メディアファイルのためのスコアを生成し、前記スコアに従って前記ローカルメモリに記憶された前記メディアファイルを処理するように適合される、デバイスであって、
　前記アクセスパラメータは、最後のアクセス時刻、および使用頻度を含む、
デバイス。」
（２）本件補正前の特許請求の範囲
　本件補正前の，平成３０年１０月１２日にされた手続補正により補正された特許請求の範囲の請求項１の記載は次のとおりである。
「【請求項１】
　ファイルへのアクセスを管理するデバイスであって、
　ネットワークインタフェースと、
　ネットワークアクセス可能ストレージ内に記憶されたメディアファイルの少なくとも1つの縮小サイズバージョンを記憶するように適合されたローカルメモリと、
　少なくとも1つのプロセッサとを含み、前記少なくとも1つのプロセッサは、
　　前記少なくとも1つのプロセッサによって実行されるオペレーティングシステムのファイルシステムを介して、前記メディアファイルにアクセスするための要求を受信し、
　　前記要求の分析に基づいて、
　　　(1) 前記ネットワークアクセス可能ストレージから前記メディアファイルのコピーを取り出して、前記コピーによって前記要求に応答するために前記ネットワークインタフェースを使用するか、または、
　　　(2) 前記縮小サイズバージョンのうちの1つによって前記要求に応答するかを決定し、
　　前記決定に従って、前記要求に応答し、
　　アクセスパラメータに基づいて前記メディアファイルのためのスコアを生成し、前記スコアに従って前記ローカルメモリに記憶された前記メディアファイルを処理するように適合される、デバイスであって、
　前記アクセスパラメータは、最後のアクセス時刻、および使用頻度を含む、
デバイス。」
２　補正の適否 
　本件補正は，補正前の請求項１に記載された発明を特定するために必要な事項である「前記ネットワークアクセス可能ストレージから前記メディアファイルのコピーを取り出して、前記コピーによって前記要求に応答するために前記ネットワークインタフェースを使用する」ことが，「前記メディアファイルのフルバージョンが要求されるケース」であって，「前記ネットワークアクセス可能ストレージへのアクセスをチェックし、前記アクセスがある場合」であると条件を限定し，さらに，「前記アクセスがない場合は関連するエンティティに接続失敗を通知して、対応する前記縮小サイズバージョンによって前記要求に応答し、前記関連するエンティティに前記縮小サイズバージョンは前記メディアファイルのフルバージョンの代わりに提供されることを通知する」という構成を付加して限定し，また，補正前の請求項１に記載の「前記縮小サイズバージョンのうちの1つによって前記要求に応答する」ことが，「前記メディアファイルのフルバージョンが要求されないケース」であるとして条件を限定したものである。また，本件補正前の請求項１に記載された発明と本件補正後の請求項１に記載される発明の産業上の利用分野及び解決しようとする課題は同一である。したがって，請求項１についての本件補正は特許法第１７条の２第５項第２号に掲げる特許請求の範囲の減縮を目的とするものに該当する。
　そこで，本件補正後の請求項１に記載された発明（以下，「本件補正発明」という。）が特許法第１７条の２第６項において準用する同法第１２６条第７項の規定に適合するか否か（特許出願の際独立して特許を受けることができるものか否か）を検討する。
（１）本件補正発明 
本件補正発明は，上記１（１）に記載したとおりのものである。
（２）引用文献，引用発明 
ア　引用文献１
（ア）原査定の拒絶の理由において引用された，本願出願前に，頒布された又は電気通信回線を通じて公衆に利用可能となった米国特許出願公開第２０１２／０１１０６２６号明細書（２０１２年５月３日公開，以下，「引用文献１」という。）には，図面とともに以下の事項が記載されている。（下線は，当審において付加した。以下，同じ。）
ａ　「FIELD OF THE INVENTION
[0001]　This invention relates to memory management for computing devices,and more particularly to memory management for devices with limited storage,such as wireless communication (mobile) terminals.」
（当審訳：本発明は，コンピューティングデバイスのためのメモリ管理に関し，より詳細には，無線通信(携帯)端末のような制限された記憶装置のためのメモリ管理に関するものである。）
ｂ　「[0025]　Referring now to FIG.1, a network 100 in which embodiments of the present invention may provide for memory management will be described. As seen in FIG.1, the network 100 includes an electronic (computing) device 105, such as a mobile terminal, a server including a remote storage device 115 and a personal computer that includes a storage device 125. These devices are all illustrated as being communicatively connected through a communication network 120, such as the Internet “cloud”. Also shown is an external device, shown as a display 127 in FIG.1. The display 127 has a quality greater than a quality of a display included in the mobile terminal 105. The quality difference may include a higher resolution, greater clarity, greater contrast or the like as will be understood by those of skill in the art. However, for purposes of description herein, quality differences will be referred to with reference to resolution differences for the external device.
（当審訳：ここでFIG.1を参照すると，本発明の実施形態は，メモリ管理を提供することができるネットワーク100を説明する。FIG.1に示すように，ネットワーク100は，携帯端末のような電子(コンピュータ)装置105と，遠隔の記憶装置115を含むサーバと，記憶装置125を備えたパーソナルコンピュータを含んでいる。これらの装置は，インターネットクラウドなどのような通信ネットワーク120を介して通信可能に接続されたものとして示されている。また，外部装置は，FIG.1にディスプレイ127として示されている。ディスプレイ127は，移動端末105に含まれる表示の品質よりも高い品質である。当業者には理解されるように品質の差は，より高い解像度，高い透明性，高いコントラスト等を含んでいてもよい。しかし，本明細書の説明の目的のためには，品質の差異は，外部装置との解像度の差を参照して説明する。）
[0026]　 As seen in the embodiments of FIG.1, the electronic device 105 may communicate with the personal computer including a storage device 125 and the display 127 over a local area wireless connection, such as Wi-Fi or Bluetooth.The electronic device in the embodiments of FIG.1 is also illustrated as being wirelessly connected to the communication network 120, for example, through the base station of a wide area cellular communications network. As such, 
the electronic device 105 may also be communicatively coupled to the personal computer including the storage device 125 and the server including the remote storage device 115 over the communication network 120
（当審訳：FIG.1の実施形態から分かるように，電子装置105は，Wi-Fiやブルートゥース等のような近距離無線接続を介して，記憶装置125及び表示装置127を含むパーソナルコンピュータと通信することができる。FIG.1の実施例では，電子装置は，例えば，広域セルラ通信ネットワークの基地局を介して通信ネットワーク120に無線で接続されるものとして示されている。このように，
電子装置105は，通信ネットワーク120を介して遠隔の記憶装置115を含むサーバや記憶装置125を含むパーソナルコンピュータに通信可能に結合されてもよい
　　　　　　　　　　　　・・・中略・・・
[0028]　
 The electronic computing device 105 is described as a mobile terminal
（当審訳：
電子装置105は，
携帯端末として表される
　　　　　　　　　　　　・・・中略・・・
[0031]　Embodiments of the present invention provide such a reduction in memory required for storage while still allowing seamless to the user access to the high quality video file using a cache methodology that stores some or all of the high quality content on a remote storage device, such as a server memory or the user's home PC, in the background (i.e., not seen by the user). The methodology may create reduced size files of some or all content that may be used by the applications on the computing device. 
In some embodiments
 video files should also be stored locally in the computing device memory in parallel with the reduced file size file.
（当審訳：本発明の実施形態は，記憶に必要なメモリの低減を提供するものであって，バックグランド（ユーザに見えない）でサーバのメモリまたはユーザのホームPCなどの遠隔の記憶装置上に高品質のコンテンツの全てまたは一部を記憶するキャッシュ方法を使用して，高品質のビデオファイルへのユーザのアクセスをシームレスに行うものでる。この方法は，コンピュータ装置上のアプリケーションによって使用することができるいくつかの又は全てのコンテンツの縮小されたサイズのファイルを作成することができる。
いくつかの実施形態では，減少したファイルサイズのファイルと並行して，ビデオファイルをコンピュータ装置のメモリにローカルに保存される
メモリ節約における利点が有利でなくなるほど頻繁に生じる検索プロセスによるユーザの検出可能な遅延を回避するために，ある程度の頻度で高品質のフォーマットが必要とされる可能性が高いファイルは，ローカルにそのまま維持されることができる
ｃ　「[0032]　
 Referring now to FIG. 2 , an exemplary mobile terminal 200 that may be used to implement a device, such as the electronic computing device 105 of FIG.1, in accordance with some embodiments of the present invention. The mobile terminal 200 includes an external device interface 201, a camera/video recorder 205, a microphone 210, a keyboard/keypad 215, a speaker 220, a display 225, a transceiver 230, and a memory 235 that communicate with a processor 240
 The external device interface 201 may be used to communicate with external devices
The external device interface 201 may be 
or a wireless interface such as WiFi or Bluetooth
（当審訳：
ここでFIG.2を参照すると，本発明のいくつかの実施形態であって，FIG.1の電子装置105のような装置が実装される例示的な携帯端末200である
携帯端末200は，外部機器インターフェース201，カメラ/ビデオレコーダ205，マイクロホン210，キーボード/キーパッド215，スピーカ220，表示部225，送受信部230，及びプロセッサ240と通信するメモリ235とを備えている
外部機器インターフェース201は，外部装置と通信するために使用することができる。外部機器インターフェース201は，
WiFiまたはブルートゥースなどの無線インターフェースであってもよく
　　　　　　　　　　・・・中略・・・
[0035] As shown in FIG.2, 
the memory 235 may contain five or more categories of software and/or data: the operating system 265, a cache module 270, an internet communication module 275, a cellular communication module 280 and/or video files 285
The operating system 265 generally controls the operation of the mobile terminal 200
the operating system 265 may manage the mobile terminal's software and/or hardware resources and may coordinate execution of programs/applications by the processor 240
（当審訳：FIG.2に示すように，
メモリ235は，5またはそれ以上のカテゴリーのソフトウェア及びデータ，すなわち，オペレーティングシステム265，キャッシュモジュール270，通信モジュール275，通信モジュール280及びビデオファイル285を含んでいてもよい
オペレーティングシステム265は，一般的に携帯端末200の動作を制御する
オペレーティングシステム265は，携帯端末のソフトウェアおよび/またはハードウェア資源を管理することができ，プロセッサ240によるプログラムの実行を調整することができる
ｄ　「[0043]　 Methods of managing memory usage on a computing device according to some embodiments of the present invention will now be further described with reference to the flowchart illustrations of FIGS.3 and 4. Referring first to the embodiments of FIG. 3, operations begin at Block 300 by 
obtaining a video file having a first quality and a first filesize
the computing device may be the mobile terminal 200 having the camera 205
the first file size may be
at full resolution
（当審訳：本発明のいくつかの実施形態によれば，コンピュータ装置上のメモリ使用量を管理する方法を，FIG.3及びFIG.4フローチャート図を参照して以下に更に詳細に説明する。第１にFIG.3の実施形態を参照すると，動作は，
第１の品質の第１のファイルのサイズを有するビデオファイルを取得すること
コンピュータ装置は，カメラ205を備えた携帯端末200であってもよく
第１のファイルサイズは，フル解像度
[0044]　
A reduced quality video file is automatically generated from the obtained video file responsive to obtaining the video file
The reduced quality video file has a second quality and a second file size
（当審訳：
低減された品質のビデオファイルは，ビデオファイルの取得に応じて，取得したビデオファイルから自動的に生成される
縮小された品質のビデオファイルが第２の品質および前記第２のファイルのサイズを有する
[0045] 
The reduced resolution video file is automatically stored on the memory of the computing device, such as in the video file 285 memory section of the mobile terminal 200
The obtained video file is automatically transferred to a storage device remote from the computing device, such as to the remote storage device 115, 225 of FIG.1
（当審訳：
低解像度ビデオファイルは，携帯端末200の動画ファイル285のメモリ部のようなコンピュータ装置のメモリに自動的に保存される
取得したビデオファイルが自動的にコンピュータ装置から，FIG.1の遠隔の記憶装置115，225のような遠隔の記憶装置に転送される
ｅ　「[0047]　 Referring now to the embodiments of FIG.4,operations related to retrieval of a remotely stored video file will be described. For the embodiments of FIG.4, operations begin at Block 400 by 
receiving a request to retrieve the video file obtained
A quality called for by the received request is determined
（当審訳：FIG.4の実施形態を参照すると，遠隔に格納されたビデオファイルの検索に係る動作について説明する。FIG.4の形態の場合，動作はFIG.3のブロック300で
取得したビデオファイルを検索する要求を受信すること
受信された要求によって要求される品質が決定される
[0048]　Operations related to retrieving the remotely stored video file of the first quality will now be described with reference to Blocks 410 to 425. 
When it is determined at Block 410 that the first quality video is called for, the transferred obtained video file is automatically retrieved from the remote storage device (Block 415). When it is determined at Block 410 that the first quality video file is not called for,the stored reduced quality video file is automatically retrieved responsive to the received request (Block 420). The retrieved video file of the first or second quality is provided responsive to the received request
（当審訳：
第１の品質の遠隔に格納されたビデオファイルを検索することに関連する動作は，ブロック410から425を参照して説明する。要求が第１の品質が必要とされていることであるとブロック410において決定される場合，転送されたビデオファイルが，遠隔の記憶装置から自動的に検索される(ブロック415)。第１の品質のビデオファイルが要求されていないことがブロック410において決定される場合，記憶されている縮小された品質のビデオファイルは，受信された要求に応答して自動的に検索される(ブロック420)。第１または第２の品質の取得されたビデオファイルが，受信された要求に応答して提供される
ｆ　「
                                                          」
ｇ　「
                                                           」
ｈ　「
                                                           」
ｉ　「
                                                          」
（イ）上記ｂの段落[0026]には，「電子装置105は，通信ネットワーク120を介して遠隔の記憶装置115を含むサーバや記憶装置125を含むパーソナルコンピュータに通信可能に結合されてもよい」ことが，また，段落[0028]には，「電子装置105は，」「携帯端末として表される」と記載されている。
　してみると，引用文献１には，“遠隔の記憶装置を含むサーバや記憶装置を備えたパーソナルコンピュータと，通信ネットワークを介して通信可能に接続された携帯端末である電子装置”が記載されているといえる。
（ウ）上記ｃの段落[0032]によれば，FIG.2はFIG.1の電子装置105が実装される例示的な携帯端末200であって，そして,段落[0032]には「携帯端末200は，外部機器インターフェース201，カメラ/ビデオレコーダ205，マイクロホン210，キーボード/キーパッド215，スピーカ220，表示部225，送受信部230，及びプロセッサ240と通信するメモリ235とを備えている」ことが記載されている。また，FIG.2（上記ｇ）によれば，携帯端末は「プロセッサ240」を備えていることが看取できる。
　してみると，引用文献１には，“電子装置は，外部機器インターフェース，カメラ/ビデオレコーダ，マイクロホン，キーボード/キーパッド，スピーカ，表示部，送受信部，プロセッサ，及びプロセッサと通信するメモリとを備えて”いることが記載されているといえる。
（エ）上記ｃの段落[0032]には，「外部機器インターフェース201は，外部装置と通信するために使用することができる。外部機器インターフェース201は，WiFiまたはブルートゥースなどの無線インターフェース」であることが記載されている。
（オ）上記ｃの段落[0035]には，「メモリ235は，5またはそれ以上のカテゴリーのソフトウェア及びデータ，すなわち，オペレーティングシステム265，キャッシュモジュール270，通信モジュール275，通信モジュール280及びビデオファイル285を含んでいてもよい」こと，さらに，「オペレーティングシステム265は，一般的に携帯端末200の動作を制御する」こと，及び，「オペレーティングシステム265は，モバイル端末のソフトウェアおよび/またはハードウェア資源を管理することができ，プロセッサ240によるプログラムの実行を調整することができる」ことが記載されている。
（カ）引用文献１の段落[0043]から[0046]に記載される図３の実施形態，及び段落[0047]および[0048]に記載される図４の実施形態の「コンピュータ装置」は,上記ｄの段落[0043]に「コンピュータ装置は，カメラ205を備えた携帯端末200であってもよく」と記載されるように，「携帯端末」すなわち「電子装置」と認められる。
　そして，上記ｄの段落[0043]には，「第１の品質の第１のファイルのサイズを有するビデオファイルを取得すること」が，また，「第１のファイルサイズは，フル解像度」であることが記載されている。
　また，段落[0044]には，「縮小された品質のビデオファイルは，ビデオファイルの取得に応じて，取得したビデオファイルから自動的に生成される」ことが，また，「縮小された品質のビデオファイルが第２の品質および前記第２のファイルのサイズを有する」ことが記載されている。
　さらに，段落[0045]には，「低解像度ビデオファイルは，携帯端末200の動画ファイル285のメモリ部のようなコンピュータ装置のメモリに自動的に保存される」ことが，さらに，「取得したビデオファイルが自動的にコンピュータ装置から，FIG.1の遠隔の記憶装置115，225のような遠隔の記憶装置に転送される」ことが記載されている。
　してみると，引用文献１には，“フル解像度の第１の品質の第１のファイルのサイズを有するビデオファイルを取得すると，取得されたビデオファイルから自動的に縮小された品質である第２の品質および第２のファイルのサイズの低解像度のビデオファイルを生成し，低解像度のビデオファイルは，電子装置のメモリに保存し，取得したビデオファイルは自動的に電子装置から遠隔の記憶装置に転送する”ことが記載されているといえる。
（キ）上記ｅの段落[0047]には，「取得したビデオファイルを検索する要求を受信すること」，「受信された要求によって要求される品質が決定される」ことが，さらに，段落[0048]には，「要求が第１の品質が必要とされていることであるとブロック410において決定される場合，転送されたビデオファイルが，遠隔の記憶装置から自動的に検索される(ブロック415)。第１の品質のビデオファイルが要求されていないことがブロック410において決定される場合，記憶される縮小された品質のビデオファイルは，受信された要求に応答して自動的に検索される(ブロック420)。第１または第２の品質の取得されたビデオファイルが，受信された要求に応答して提供される」ことが記載されている。
　してみると，引用文献１には，“取得したビデオファイルを検索する要求を受信すると受信された要求によって要求される品質が決定され，要求が第１の品質が必要とされていることが決定される場合には転送れたビデオファイルが遠隔の記憶装置から自動的に検索され，第１の品質のビデオファイルが要求されていないことが決定される場合には記憶されている縮小された品質のビデオファイルが受信された要求に応答して自動的に検索され，受信された要求に応答して提供”することが記載されている。
（ク）上記ｂの段落[0031]には，「いくつかの実施形態では，減少したファイルサイズのファイルと並行して,ビデオファイルをコンピュータ装置のメモリにローカルに保存される」こと,及び「メモリ節約における利点が有利でなくなるほど頻繁に生じる検索プロセスによるユーザの検出可能な遅延を回避するために，ある程度の頻度で高品質のフォーマットで必要とされる可能性が高いファイルは，ローカルにそのまま維持されることができる」ことが記載されている。
　また，引用文献１の段落[0043]から[0046]に記載される図３，及び段落[0047]および[0048]に記載される図４の実施形態においては,上記「高品質のファーマット」は「第１の品質のビデオファイル」であって、さらに，上記「ある程度の頻度で高品質のフォーマットで必要とされる可能性が高い」とは，図４の実施形態においては，検索がある程度の頻度に行われ第１の品質のビデオファイルが必要とされる可能性が高いことである。
　してみると，引用文献１には“ある程度の頻度で検索される第１の品質のビデオファイルは電子装置のメモリに保存する”ことが記載されているといえる。
　したがって，上記引用文献１の上記各記載及び図面を総合すると，引用文献１には，次の発明（以下，「引用発明」という。）が開示されていると認められる。
「遠隔の記憶装置を含むサーバや記憶装置を備えたパーソナルコンピュータと，通信ネットワークを介して通信可能に接続された携帯端末である電子装置において，
　電子装置は，外部機器インターフェース，カメラ/ビデオレコーダ，マイクロホン，キーボード/キーパッド，スピーカ，表示部，送受信部，プロセッサ，及びプロセッサと通信するメモリとを備えており，
　外部機器インターフェースは，外部装置と通信するために使用することができ，WiFiまたはブルートゥースなどの無線インターフェースであって
　メモリは，オペレーティングシステム，キャッシュモジュール，通信モジュール，及びビデオファイルを含んでおり，
　オペレーティングシステムは，電子装置の動作を制御し，電子装置のソフトウェアおよび/またはハードウェア資源を管理することができ，プロセッサによるプログラムの実行を調整することができるものであって，
　フル解像度の第１の品質の第１のファイルのサイズを有するビデオファイルを取得すると，取得したビデオファイルから自動的に縮小された品質である第２の品質および第２のファイルのサイズの低解像度のビデオファイルを生成し，低解像度のビデオファイルは，電子装置のメモリに保存し，取得したビデオファイルは自動的に電子装置から遠隔の記憶装置に転送するものであって，
　取得したビデオファイルを検索する要求を受信すると受信された要求によって要求される品質が決定され，要求が第１の品質が必要とされていることでが決定される場合には転送されたビデオファイルが遠隔の記憶装置から自動的に検索され，第１の品質のビデオファイルが要求されていないことが決定される場合には記憶されている縮小された品質のビデオファイルが受信された要求に応答して自動的に検索され，受信された要求に応答して提供し，
　ある程度の頻度で検索される第１の品質のビデオファイルは電子装置のメモリに保存する，
　電子装置。」 
イ　引用文献２
　原査定の拒絶の理由において引用された，本願出願前に，頒布された又は電気通信回線を通じて公衆に利用可能となった特開２００８−３０６７０４号公報（以下，「引用文献２」という。）には，図面とともに以下の事項が記載されている。
「【０１２４】
　そして、図６に示す処理に進み、サーバ装置２は、取得した新規蓄積データに基づいて、
モバイル機器４の画像記憶部４４に記憶されている画像データの中から消去すべきデータを洗い出す
使用回数が更新するようにされている場合には、その使用回数が所定回以上であるなど、重要な画像データであることが予測できる画像データについては、消去対象とはせず、それ以外の画像データを消去対象として特定する処理である
　　　　　　　　　　・・・中略・・・
【０１４０】
　また、サーバ装置２の機能により、モバイル機器４からバックアップした蓄積データの中から消去可能な消去対象データを洗い出し、サーバ機器２から
モバイル機器４に対して蓄積データ消去要求を提供することにより、モバイル機器４の画像記憶部４４の記憶エリアを整理して、モバイル機器４の画像記憶部４４の効率的な利用を図ることができる
ウ　引用文献３
　原査定において引用された，本願出願前に，頒布された又は電気通信回線を通じて公衆に利用可能となった特開２００８−２５２３７６号公報（以下，「引用文献３」という。）には，図面とともに以下の事項が記載されている。
「【００５３】
　次に、キャッシュテーブルの構成例を、図７を参照して説明する。既に述べたとおり、キャッシュテーブルは、キャッシュメモリ３０３内に設けられている。そして、ＷｅｂページのＵＲＬ毎に（ユーザ操作によるＷｅｂページの）
アクセス回数
最終アクセス日時
【００５４】
　尚、優先順位は、アクセス回数が多いほど高く、アクセス回数が同一の場合には、最終アクセス日時の新しい方が高くなるように決定される。
　　　　　　　　　　　　・・・中略・・・
【００６５】
　次に、図９のキャッシュ確保処理動作を示すフローチャートを参照して、ステップＳ７のキャッシュ確保処理について説明する。
【００６６】
　先ず、ステップＳ２０において、キャッシュテーブルが参照され、
最終アクセス日時が所定期間以上経過しているＷｅｂページが存在するか否かが調べられる
【００６７】
　一方、ステップＳ２０にて、
最終アクセス日時が所定期間以上経過しているＷｅｂページが存在すると判断された場合には、処理をステップＳ２２に移し、最終アクセス日時が所定期間以上経過しているＷｅｂページが複数存在するか否かが調べられ、１つしか存在しないと判断された場合には処理をステップＳ２４に移し、複数存在すると判断された場合には処理をステップＳ２３に移し最も優先順位の低いＷｅｂページの検索が行われ、処理をステップＳ２４に移す。
【００６８】
　
ステップＳ２４に移行すると、該当するＷｅｂページのキャッシュ情報及びキャッシュテーブル情報の削除を行い処理を終了する
エ　引用文献４
　原査定において引用された，本願出願前に，頒布された又は電気通信回線を通じて公衆に利用可能となった特開２０１１−８６２２３号公報（以下，「引用文献４」という。）には，図面とともに以下の事項が記載されている。
「【００７８】
　ただし、先読みアドレスの探索範囲のウェブアドレスの数が多ければ、先読みアドレス決定処理の負荷や処理時間が大きくなる場合がある。そこで、データ解析部７は、解析結果から得られたウェブアドレスに優先度を付して保存しておくことが望ましい。先読みアドレス決定部８は、優先度が付されたウェブアドレスの中から優先度の順に先読みアドレスを選択することで、処理負荷の軽減を図り、先読みアドレスの推測精度を向上させることができる。たとえば、
過去の閲覧回数が多い程、ウェブページに付する優先度の値を高くしたり、閲覧日時が現在日時に近い程、ウェブページに付する優先度の値を高くしたりすることができる
オ　参考文献１
　本願出願前に，頒布された又は電気通信回線を通じて公衆に利用可能となった特開２００８−１０４１４７号公報（以下，「参考文献１」という。）には，図面とともに以下の事項が記載されている。
ａ　「【００３７】
撮像部３２０により出力された画像データは
サーバ３６０は、その画像データを受信し、データベースなどとして構成される記憶手段上の所定アドレスに記憶し
【００３８】
制御部３５０は、出力された画像データから画像サイズを縮小した縮小画像データを生成し、アクセス情報と関連付けて記憶部に記憶させる
【００３９】
このため、原画像データが削除された後であっても、原画像データから縮小画像がオンザフライ式に作成されないので、ユーザは、その希望に応じて縮小画像を見ることができる。また、生成した縮小画像データには、サーバ３６０から返信されたアクセス情報、例えばＵＲＬまたはＵＲＩ(Uniform Resource Identifier)を関連付けて記憶させる。アクセス情報の関連付けは、例えば、液晶ディスプレイに表示される画像にＵＲＬを埋め込むことにより行うことができる。  
【００４０】
ＨＴＭＬファイルにおいて、例えば、ahref=Ａ 〜/aといったリンクタグ、imgsrc=Ｂといった画像を貼るタグを使用し、ＡにＵＲＬ、Ｂに縮小画像データが格納されているメモリ上のアドレス、またはネットワーク上で画像データを固有に指定する絶対パス値で指定されるアドレスなどをそれぞれ挿入することにより、ＵＲＬを埋め込むことができる。これにより、通信リンクが確立されている場合、ユーザのキーボタンによる縮小画像の選択に応答して、ＵＲＬで示されるリンク先の画像データをダウンロードし、それを表示させることができる。  
【００４１】
制御部３５０は、通信部３４０とサーバ３６０との通信が可能であるか否かを判定する
通信が可能である場合には、アクセス情報に基づいてサーバ３６０から画像データをダウンロードすることができる。通信が不可能である場合には、画像データをダウンロードすることができないため、記憶部３３０に記憶された縮小画像データを読み出し、表示部３１０に表示させる
ｂ「【００５１】
次に、
制御部３５０は、通信部３４０と外部機器との間の通信が可能であるか否かを判定する（Ｓ６３０）。通信が可能である場合、縮小画像データに埋め込まれたＵＲＬにアクセスし、外部機器からそのＵＲＬに存在する画像データをダウンロードする（Ｓ６４０）。ダウンロードした画像データは、表示部３１０に画像として表示される（Ｓ６５０）。これに対し、通信が不能である場合には、ＵＲＬにアクセスすることはできず、外部機器から画像データをダウンロードすることもできないため、処理を終了する（Ｓ６６０）。この場合、画像を表示することはできないものの、縮小画像であるサムネイルを表示することができるため、データ内容の確認をすることはできる
カ　参考文献２
　本願出願前に，頒布された又は電気通信回線を通じて公衆に利用可能となった特開２００９−９５０１７号公報（以下，「参考文献２」という。）には，図面とともに以下の事項が記載されている。
ａ　「【００３９】
Ｃ．第２実施形態
　次に、本発明の第２実施形態について説明する。本第２実施形態では、
撮影した画像を、内部メモリ、外部メモリに加えて、図１におけるデータベースサービス会社３０６のデータベース３０９に保存することを選択可能とした
           　　　　　　・・・中略・・・
【００５３】
　一方
、いずれかのサムネイルが選択された場合には、対応する画像データが取り出し可能であるか否かを判断する（Ｓ９８）。すなわち、グレー表示されているサムネイルが選択された場合には、対応する画像データが外部メモリまたはデータベース３０９に保存されており、その外部メモリが装着されていないか、基地局３００がカバーするエリア圏外か、ＷＷＷ３０５の混雑等によってデータベースサービス会社３０６へ接続できない場合であり、この場合、対応する画像データを取得することができないと判断される。ここで、グレー表示されているサムネイルが選択された場合には、元の画像データを取得することができないので、その旨のメッセージを表示するなどして、ステップＳ９４へ戻り、アルバムモードを継続する
【００５４】
　
一方、グレー表示されていないサムネイル、すなわち元の画像データが取得可能である場合には、元の画像データの保存先がデータベース３０９であるか否かを判断する
【００５５】
　一方、
選択されたサムネイルに対応する元の画像デーの保存先がデータベース３０９である場合には、図１６に示すように、データベースサービス会社３０６に接続してよいか確認するための通信確認メッセージ（例えば、「この画像を表示するためには通信を行う必要があります。通信を行いますか？」）をメイン表示部１０２に表示する
【００５６】
　
一方、ユーザが通信を行うことを選択した場合には、データベースサービス会社３０６との通信を確立し（Ｓ１０８）、図９に示す画像データの一覧テーブル１２４１を参照し、保存先のＵＲＬ情報に従ってデータベース３０９から画像データをダウンロードする（Ｓ１１０）。次に、データベース３０９からダウンロードした画像データをメイン表示部１０２に表示する
（３）引用発明との対比 
　本件補正発明と引用発明とを対比する。 
ア　引用発明の「電子装置」は，ビデオファイルを保存し検索可能なものであり，ファイルへのアクセスを管理するデバイスといえるから，本件補正発明の「ファイルへのアクセスを管理するデバイス」に相当する。
イ　引用発明の「外部機器インターフェース」は，WiFiまたはブルートゥースなどの無線インターフェースであるから，本件補正発明の「ネットワークインタフェース」に相当する。
ウ　引用発明の「遠隔の記憶装置」は，通信ネットワークを介して通信可能に接続されたものであるから，本件補正発明の「ネットワークアクセス可能ストレージ」に相当する。
　また，引用発明の取得される「フル解像度の第１の品質の第１のファイルのサイズを有するビデオファイル」は，遠隔の記憶装置に転送されるものであって，遠隔の記憶装置に記憶されているものと認められることから，本件補正発明の「ネットワークアクセス可能ストレージ内に記憶されたメディアファイル」に相当する。
　さらに，引用発明の「縮小された品質である第２の品質および第２のファイルのサイズの低解像度のビデオファイル」は，遠隔の記憶装置に転送される取得したビデオファイルから作成したものであって低解像度のものであるから，本件補正発明の「メディアファイルの少なくとも1つの縮小サイズバージョン」に相当する。
　そして，引用発明の「電子装置のメモリ」には，「低解像度のビデオファイル」が保存されるものであるから，本件補正発明の「ネットワークアクセス可能ストレージ内に記憶されたメディアファイルの少なくとも1つの縮小サイズバージョンを記憶するように適合されたローカルメモリ」に相当する。
エ　引用発明の「プロセッサ」は，本件補正発明の「少なくとも1つのプロセッサ」に相当する。
オ　引用発明の「取得したビデオファイルを検索する要求」は，本件補正発明の「メディアファイルにアクセスするための要求」に相当する。
　そして，引用発明の「オペレーティングシステム」は，電子装置の動作を制御し，電子装置のソフトウェアおよび/またはハードウェア資源を管理することができ，プロセッサによるプログラムの実行を調整するものであって，また，通常，オペレーティングシステムはファイルの管理を行うファイルシステムを有しているものと認められることから，引用発明の「携帯端末である電子装置」が「取得したビデオファイルを検索する要求を受信する」際には，プロセッサによって実行されるオペレーティングシステムのファイルシステムを介して，取得したビデオファイルにアクセスするための要求を受信しているものと認められる。
カ　引用発明の「受信された要求によって要求される品質が決定され，要求が第１の品質が必要とされていることが決定される場合には転送されたビデオファイルが遠隔の記憶装置から自動的に検索され，第１の品質のビデオファイルが要求されていないことが決定される場合には記憶されている縮小された品質のビデオファイルが受信された要求に応答して自動的に検索され，受信された要求に応答して提供される」ことは，要求を分析し品質によって，（１）第１の品質が必要とされている場合には，ビデオファイルを遠隔の記憶装置から自動的に検索し提供するか，（２）第１の品質のビデオファイルが要求されない場合には，縮小された品質のビデオファイルが検索され提供するか，を決定し要求に応答するものである。
　そして，上記（１）の場合の提供では，当然，ビデオファイルのコピーを取り出し，外部機器インターフェースを使用して電子装置に提供するものと認められる。
　してみると，引用発明の「受信された要求によって要求される品質が決定され，要求が第１の品質が必要とされていることが決定される場合には転送されたビデオファイルが遠隔の記憶装置から自動的に検索され，第１の品質のビデオファイルが要求されていないことが決定される場合には記憶されている縮小された品質のビデオファイルが受信された要求に応答して自動的に検索され，受信された要求に応答して提供される」ことと，本件補正発明の「前記要求の分析に基づいて，（1） 前記メディアファイルのフルバージョンが要求されるケースでは，前記ネットワークアクセス可能ストレージへのアクセスをチェックし，前記アクセスがある場合は前記ネットワークアクセス可能ストレージから前記メディアファイルのコピーを取り出して，前記コピーによって前記要求に応答するために前記ネットワークインタフェースを使用するか，前記アクセスがない場合は関連するエンティティに接続失敗を通知して，対応する前記縮小サイズバージョンによって前記要求に応答し，前記関連するエンティティに前記縮小サイズバージョンは前記メディアファイルのフルバージョンの代わりに提供されることを通知するか，または，(2) 前記メディアファイルのフルバージョンが要求されないケースでは，前記縮小サイズバージョンのうちの1つによって前記要求に応答するかを決定し，前記決定に従って，前記要求に応答する」こととは，後記する点で相違するものの“前記要求の分析に基づいて，（1）前記メディアファイルのフルバージョンが要求されるケースでは，前記ネットワークアクセス可能ストレージから前記メディアファイルのコピーを取り出して，前記コピーによって前記要求に応答するために前記ネットワークインタフェースを使用するか，または，（2） 前記メディアファイルのフルバージョンが要求されないケースでは，前記縮小サイズバージョンのうちの1つによって前記要求に応答するかを決定し，前記決定に従って，前記要求に応答する”という点で共通する。
　
　したがって，本件補正発明と引用発明とを対比すると，両者は，以下の点で一致し，また，相違している。
（一致点） 
「ファイルへのアクセスを管理するデバイスであって，
　ネットワークインタフェースと，
　ネットワークアクセス可能ストレージ内に記憶されたメディアファイルの少なくとも1つの縮小サイズバージョンを記憶するように適合されたローカルメモリと，
　少なくとも1つのプロセッサとを含み，前記少なくとも1つのプロセッサは，
　　前記少なくとも1つのプロセッサによって実行されるオペレーティングシステムのファイルシステムを介して，前記メディアファイルにアクセスするための要求を受信し，
　　前記要求の分析に基づいて，
　　（1）前記メディアファイルのフルバージョンが要求されるケースでは，前記ネットワークアクセス可能ストレージから前記メディアファイルのコピーを取り出して，前記コピーによって前記要求に応答するために前記ネットワークインタフェースを使用するか，または，
　　（2） 前記メディアファイルのフルバージョンが要求されないケースでは，前記縮小サイズバージョンのうちの1つによって前記要求に応答するか
を決定し，
　　前記決定に従って，前記要求に応答する，
デバイス。」 
（相違点１） 
　前記「前記ネットワークアクセス可能ストレージから前記メディアファイルのコピーを取り出して，前記コピーによって前記要求に応答するために前記ネットワークインタフェースを使用する」のが，本件補正発明では「前記ネットワークアクセス可能ストレージへのアクセスをチェックし，前記アクセスがある場合」であって，さらに，「前記アクセスがない場合は関連するエンティティに接続失敗を通知して，対応する前記縮小サイズバージョンによって前記要求に応答し，前記関連するエンティティに前記縮小サイズバージョンは前記メディアファイルのフルバージョンの代わりに提供されることを通知する」ものであるのに対して，引用発明ではそのような特定がされていない点。
（相違点２）
　本件補正発明では，「アクセスパラメータに基づいて前記メディアファイルのためのスコアを生成し，前記スコアに従って前記ローカルメモリに記憶された前記メディアファイルを処理するように適合される，デバイスであって，前記アクセスパラメータは，最後のアクセス時刻，および使用頻度を含む」ものであるのに対して，引用発明では，その旨の特定がされていない点。
（４）判断 
　上記各相違点について検討する。 
（相違点１について）
　要求されたファイルをネットワークから取得する際に，ネットワークの接続状況を確認して，接続ができない場合には端末に記憶された関連ファイルを代替ファイルとして要求に応答したり，さらに，これら動作に関連してネットワークへの接続を促したり、接続できない場合にはネットワークから取得できないなどの動作に関連した報知を行うことは周知の技術（上記「（２）　オ」、「（２）　カ」」）である。また，動作に関連した報知の具体的な内容に関しては，端末の操作者の状況などに応じて設計時に適宜変更なし得たものと認められる。
　してみると，引用発明において，第１の品質のビデオファイルが要求されて遠隔の記憶装置から取得する際に周知の技術を適用し，上記相違点１の構成とすることは，当業者が容易に想到し得たことである。
（相違点２について）
　モバイル機器のメモリを効率的に利用するために，外部サーバ等へ保存されているモバイル機器内のメディアファイルを選択消去する際に，当該メディアファイルの使用回数等のアクセスに関する指標に基づいて選択することは周知の技術（上記「（２）　イ」）である。また，データへのアクセスに関する指標として最後のアクセス時間及び使用頻度を用いることは常套手段（上記「（２）　ウ」，上記「（２）　エ」）に過ぎない。
　そして，引用発明は，使用頻度の高いビデオファイルをユーザの利便性のために電子装置のメモリに保存するものであるが，携帯端末である電子装置のメモリの容量は限られたものであるから，使用頻度が低下したり，最後のアクセス時間から十分時間が経過したものまで保存にしておく必要がないことは明らかである。
　してみれば，引用発明における使用頻度が高いために保存したビデオファイルに関して周知の技術を適用して，その後の使用回数や最後のアクセス時間などのアクセスパラメータに基づいて，電子装置のメモリに保存したビデオファイルを処理するように構成することは，当業者が容易に想到し得たことと認められる。
　そして，本件補正発明の作用効果も，引用発明に基づいて当業者が予測できる範囲のものである。
　したがって，本件補正発明は，引用発明，引用文献２乃至引用文献４，参考文献１，及び参考文献２に記載の技術事項に基づいて当業者が容易に発明することができたものであるから，特許法第２９条第２項の規定により，特許出願の際独立して特許を受けることができないものである。　
（５）結語 
　以上検討したとおり，本件補正は，特許法第１７条の２第６項において準用する同法第１２６条第７項の規定に違反するので，同法第１５９条第１項の規定において読み替えて準用する同法第５３条第１項の規定により却下すべきものである。
　よって，上記補正の却下の決定の結論のとおり決定する。
第３　本願発明について 
１　本願発明 
　令和１年７月２５日付けの手続補正（本件補正）は，上記のとおり却下されたので，本願の請求項１ないし１４に係る発明は，平成３０年１０月１２日に補正された特許請求の範囲の請求項１ないし１４に記載された事項により特定されるものであるところ，その請求項１に係る発明（以下「本願発明」という。）は上記「第２　１　（２）本件補正前の特許請求の範囲」に本件補正前の請求項１として記載したとおりのものである。
２　原査定の拒絶の理由
　原査定の拒絶の理由は，この出願の請求項１ないし１４に係る発明は，引用文献１（米国特許出願公開第２０１２／０１１０６２６号明細書）に記載された発明，及び，引用文献２（特開２００８−３０６７０４号公報），引用文献３（特開２００８−２５２３７６号公報），引用文献４（特開２０１１−８６２２３号公報）に記載の技術事項に基づいて，当業者が容易に発明をすることができたものであるから，特許法２９条２項の規定により特許を受けることができない，という理由を含むものである。
３　引用文献，引用発明 
　原査定の拒絶の理由で引用された引用文献１及びその記載事項並びに引用発明，及び，引用文献２ないし４及びその記載事項は，上記「第２　２（２）　ア　引用文献１，イ　引用文献２，ウ　引用文献３，エ　引用文献４」で説示したとおりである。
４　対比・判断 
　本願発明は，上記「第２　２　補正の適否」で検討した本件補正発明の発明特定事項である「前記ネットワークアクセス可能ストレージから前記メディアファイルのコピーを取り出して，前記コピーによって前記要求に応答するために前記ネットワークインタフェースを使用する」こと，及び，「前記縮小サイズバージョンのうちの1つによって前記要求に応答する」ことに関する条件の限定を省き，さらに,「前記アクセスがない場合は関連するエンティティに接続失敗を通知して，対応する前記縮小サイズバージョンによって前記要求に応答し，前記関連するエンティティに前記縮小サイズバージョンは前記メディアファイルのフルバージョンの代わりに提供されることを通知する」という構成を削除したものである。
　そうすると，本願発明と引用発明は、上記相違点２のみで相違する。
　そして，上記「第２　２　（４）判断」に記載したとおり，相違点２は引用発明及び引用文献２ないし引用文献４に記載された技術事項から，当業者が容易に発明をすることができたものであるから，本願発明も引用発明及び引用文献２ないし引用文献４に記載された技術事項に基づいて，当業者が容易に発明をすることができたものである。
第４　むすび 
　以上のとおり，本願の請求項１に係る発明は引用文献１に記載された発明及び引用文献２ないし引用文献４に記載された技術事項に基づいて当業者が容易に発明することができたものであるから，特許法第２９条第２項の規定により特許を受けることができないから，他の請求項について検討するまでもなく，本願は拒絶されるべきものである。
　よって，結論のとおり審決する。